(57)【要約】      （修正有）【課題】周辺光センサに入射する光強度の入射角依存性が小さな電子デバイス用ウィンドウのコーティングを提供する。【解決手段】電子デバイスは、カバー層３０を有するディスプレイ１４を有する。周辺光センサ４２は、ディスプレイの非アクティブ部分１Ａのカバー層上のマスキング層３６の開口部４０から形成された、周辺光センサ用ウィンドウ２０に位置合わせして配置される。周辺光センサ用ウィンドウを視界から隠すのに役立つように、周辺光センサ用ウィンドウは、光が周辺光センサに到達できるようにしながら周囲のマスキング層の外観と適合する、黒色コーティング３８を備える。黒色コーティングは、高屈折率を有する黒色物理蒸着薄膜無機層から形成され、誘電体層の積層体から形成された反射防止層が黒色薄膜無機層とディスプレイカバー層との間に挿入される。【選択図】図２
0003208984.tif 000002
【実用新案登録請求の範囲】
【請求項１】
光センサと、
前記光センサに位置合わせされたウィンドウを形成する部分を有する透明構造体と、
前記光センサと前記透明構造体との間に挿入されて前記ウィンドウに重ね合わさる、前記透明構造体上のコーティングと、
を備え、前記コーティングが、物理蒸着薄膜コーティング、及び前記物理蒸着薄膜コーティングと前記透明構造体との間に挿入された誘電体層の積層体を有する、電子デバイス。
【請求項２】
前記光センサが、周辺光センサを含む、請求項１に記載の電子デバイス。
【請求項３】
ディスプレイを更に備え、前記透明構造体が、前記ディスプレイ用のディスプレイカバー層を含む、請求項２に記載の電子デバイス。
【請求項４】
前記物理蒸着薄膜コーティングが、少なくとも１．８の屈折率を有する、請求項３に記載の電子デバイス。
【請求項５】
前記物理蒸着薄膜コーティングが、少なくとも２．１の屈折率を有する、請求項３に記載の電子デバイス。
【請求項６】
前記物理蒸着薄膜コーティングが、金属窒化物を含む、請求項３に記載の電子デバイス。
【請求項７】
前記物理蒸着薄膜コーティングが、窒化アルミニウムチタンを含む、請求項３に記載の電子デバイス。
【請求項８】
前記誘電体層の積層体が、第１の屈折率を有する複数の層、及び前記第１の屈折率とは異なる第２の屈折率を有する複数の介挿した層を含む、請求項３に記載の電子デバイス。
【請求項９】
前記誘電体層の積層体が、少なくとも１つの金属酸化物層を含む、請求項８に記載の電子デバイス。
【請求項１０】
前記物理蒸着薄膜コーティングが、２０％未満の可視光透過率を有する黒色層を含む、請求項９に記載の電子デバイス。
【請求項１１】
前記物理蒸着薄膜コーティングが、少なくとも２．２の屈折率を有する、請求項１０に記載の電子デバイス。
【請求項１２】
画像を表示する画素を有するアクティブエリア及び画素を有さない非アクティブエリアに重ね合わさるディスプレイカバー層を有する、ディスプレイと、
前記非アクティブエリアに重ね合わさる前記ディスプレイカバー層の部分を通して光を受容する、周辺光センサと、
前記ディスプレイカバー層の前記部分上のコーティングと、
を備え、前記コーティングが、黒色無機層、及び誘電体層の積層体を含む、電子デバイス。
【請求項１３】
前記誘電体層の積層体が、前記黒色無機層と前記ディスプレイカバー層との間にある、請求項１２に記載の電子デバイス。
【請求項１４】
前記黒色無機層が、金属窒化物を含む、請求項１３に記載の電子デバイス。
【請求項１５】
前記黒色無機層が、少なくとも２．１の屈折率を有する、請求項１３に記載の電子デバイス。
【請求項１６】
前記コーティングが、前記周辺光センサと前記ディスプレイカバー層との間に挿入され、前記誘電体層の積層体が、少なくとも１つの金属酸化物層を含む、請求項１３に記載の電子デバイス。
【請求項１７】
前記誘電体層の積層体が、少なくとも、第１の屈折率を有するいくつかの誘電体層、及び前記第１の屈折率とは異なる第２の屈折率を有するいくつかの誘電体層を含む、請求項１３に記載の電子デバイス。
【請求項１８】
前記ディスプレイカバー層上の黒色インクの層を更に備え、前記コーティングが、前記黒色インク内の開口部内に形成され、前記誘電体層の積層体が、反射防止及び色調整層を形成するように構成される、請求項１７に記載の電子デバイス。
【請求項１９】
筐体と、
ディスプレイカバー層を有する、前記筐体内のディスプレイと、
周辺光センサ用ウィンドウを形成する開口部を有する、前記ディスプレイカバー層上の黒色不透明マスキング層と、
前記周辺光センサ用ウィンドウを通して周辺光を受容する、前記筐体内の周辺光センサと、
前記開口部内の前記ディスプレイカバー層上のコーティングと、
を備え、前記コーティングが、黒色薄膜無機層及び反射防止層を含む、電子デバイス。
【請求項２０】
反射防止層が、前記黒色薄膜無機層と前記ディスプレイカバー層との間にあり、前記黒色薄膜無機層が、少なくとも１．９の屈折率を有する物理蒸着層を含み、前記反射防止層が、少なくとも３つの無機誘電体層を含む、請求項１９に記載の電子デバイス。
【考案の詳細な説明】
【技術分野】
【０００１】
本出願は、２０１６年１０月１３日に出願された米国特許出願第１５／２９３，２０４号、及び２０１５年１２月２１日に出願された米国特許仮出願第６２／２７０，２９５号に対する優先権を主張するものであり、これらの各出願は、その全体が本明細書において参照により援用される。
【０００２】
本出願は、一般的には、電子デバイスに関し、より具体的には、電子デバイス用ウィンドウのコーティングに関する。
【背景技術】
【０００３】
電子デバイスは、多くの場合、ディスプレイを含む。ディスプレイは、ユーザに対して画像を表示する画素を有するアクティブエリア、及びアクティブエリアの傍らの非アクティブエリアを有することがある。ガラスの層は、保護ディスプレイカバー層として機能することができる。ガラスの層は、アクティブエリア及び非アクティブエリアに重ね合わせることができる。内部の構成要素を視界から隠すために、非アクティブエリアの内面は、黒色インクの層などの不透明マスキング層で覆われることがある。ディスプレイカバー層内のウィンドウは、不透明マスキング層内の開口部から形成することができる。光を感知する構成要素は、ウィンドウに位置合わせすることができる。例えば、周辺光センサを、ディスプレイ内のウィンドウに位置合わせすることができる。
【０００４】
非アクティブエリア内のディスプレイカバー層の外側の外観を向上するために、周辺光センサ用ウィンドウは、暗いインクのコーティングで覆われることがある。周辺光センサ用ウィンドウ用の暗いインクのコーティングは、周辺光センサ用インクと呼ばれる場合がある。周辺光センサ上の周辺光センサ用インクの存在は、周辺光センサ用ウィンドウの外側の外観を暗くして、それにより周辺光センサ用ウィンドウを非アクティブエリア内の黒色インクの層の周囲部分と視覚的に融合するのに役立つであろう。同時に、周辺光センサ用インクは、周辺光が周辺光センサ用ウィンドウに位置合わせされた周辺光センサに到達できるように充分に透明であるであろう。
【０００５】
周辺光センサ用ウィンドウ上の周辺光センサ用インクの存在が、デバイスの美しさを向上するのに役立つことがあるが、周辺光センサ用インクの存在が、理想的でない特性を周辺光センサシステムにもたらすことがある。例えば、周辺光センサの測定値が、周辺光センサシステムに対して入射する周辺光の入射角の関数として変化することがある。
【考案の概要】
【０００６】
電子デバイスは、カバー層を有するディスプレイを有することができる。カバー層は、画像を表示する画素のアレイを有するディスプレイのアクティブエリアに重ね合わせることができる。カバー層はまた、画素を有しないディスプレイの非アクティブエリアにも重ね合わせることができる。ディスプレイの非アクティブエリアは、黒色インクの層などの不透明マスキング層を有することができる。
【０００７】
周辺光センサは、周辺光センサ用ウィンドウとして機能する不透明マスキング層内の開口部に位置合わせすることができる。周辺光センサ用ウィンドウを視界から隠すのに役立つように、周辺光センサ用ウィンドウは、光が周辺光センサに到達できるようにしながら黒色インクの外観と適合する、黒色コーティング又は他の暗いコーティングを備えることができる。
【０００８】
黒色コーティングは、高屈折率を有する黒色物理蒸着薄膜無機層を含むことができる。薄膜無機層は、例えば、窒化アルミニウムチタンなどの金属窒化物とすることができる。反射防止及び色調整層は、黒色薄膜無機層とディスプレイカバー層との間に挿入することができる。反射防止及び色調整層は、交互により高い屈折率及びより低い屈折率を有する金属酸化物層の積層体などの、誘電体層の積層体から形成することができる。
【図面の簡単な説明】
【０００９】
【図１】一実施形態に係る、例示的な電子デバイスの斜視図である。
【図２】一実施形態に係る、ウィンドウ、及び周辺光センサなどの位置合わせされた光学式構成要素を有する、例示的な電子デバイスの一部分の側面断面図である。
【図３】一実施形態に係る、コーティングされたウィンドウを有する、ディスプレイの一部分の側面断面図である。
【図４】一実施形態に係る、コーティングを有する、例示的なウィンドウの側面断面図である。
【図５】一実施形態に係る、ウィンドウコーティング用の反射防止及び色調整層を実装するために使用され得る、無機誘電体層の例示的な積層体を示す図表である。
【図６】一実施形態に係る、層の屈折率が層内の光路長にどのように影響するかを示す、例示的なコーティング層の側面断面図である。
【図７】一実施形態に係る、２つの異なる屈折率値に対して、例示的なコーティング層の透過率が波長の関数としてプロットされたグラフの対を含む。
【考案を実施するための形態】
【００１０】
電子デバイスは、ディスプレイを備えることができる。ディスプレイは、画像を表示するために使用される画素のアレイを含むアクティブエリア、及び画素のない非アクティブエリアを有することができる。回路及び内部のデバイス構成要素は、非アクティブエリアの下に実装することができる。
【００１１】
ディスプレイ用の保護ディスプレイカバー層は、透明な材料の層から形成することができる。ディスプレイカバー層は、ディスプレイのアクティブエリア及び非アクティブエリアの両方に重ね合わせることができる。アクティブエリアに重ね合わさるディスプレイカバー層の部分は、インクはなく透明である。非アクティブエリアに重ね合わさるディスプレイカバー層の部分の内面は、デバイス内の内部構造体をユーザによる視界から隠すのに役立つように、不透明マスキング層でコーティングすることができる。不透明マスキング層は、光吸収粒子を有するポリマー、又は他の好適な不透明な構造体から形成することができる。不透明マスキング層は、例えば、黒色インクの層、又は別の色の不透明な層とすることができる。
【００１２】
開口部は、光を透過するウィンドウを形成するように、不透明マスキング層内に形成することができる。光学窓又は光窓と呼ばれる場合もあり得る、これらのウィンドウは、光学式構成要素を収容するために使用することができる。例えば、カメラは、ディスプレイカバー層内のウィンドウを通して画像をキャプチャすることができ、周辺光センサは、ディスプレイカバー層内のウィンドウを通して周辺光レベルを測定することができ、光学式近接センサは、ディスプレイカバー層内のウィンドウを通して近接センサによる測定をするために使用することができる。いくつかの場合（例えば、可視光波長で動作するカメラなどの構成要素用のウィンドウを形成する場合）では、ウィンドウは、可視波長で透明とすることができ、何もコーティング層をなしにすることができる。周辺光センサ用のウィンドウを形成する場合などの他の場合では、少なくとも部分的にウィンドウを不明瞭化するようにウィンドウをコーティングすることが望ましいことがある。これは、例えば、周辺光センサが周辺光の測定ができるように周辺光センサに充分な周辺光を透過する、暗いコーティングで周辺光センサ用ウィンドウをコーティングすることにより、実現することができる。コーティングの暗い外観は、周辺光センサ用ウィンドウを、非アクティブエリア内の黒色インク又は他の不透明マスキング層の近隣の部分の外観と融合するのを可能にできる。
【００１３】
一般的に、周辺光センサ用のウィンドウコーティングは、任意の好適な色（例えば、白、灰色、黒、又は他の色）を有することができる。これらのコーティングは、任意の好適な光量を透過することができる（例えば、これらのコーティングの透過率は、５０％より大きい、５０％未満、５％〜２０％、３０％未満、２０％未満、１０％未満、又は他の好適な値とすることができる）。コーティングは、デバイス１０内の赤外線及び可視光カメラ用、赤外線構成要素用、ユーザ入出力装置（例えば、タッチセンサ又は指紋センサ）に関連付けられた光感知アレイ用、近接センサ用、又は任意の他の好適な光学式構成要素用のウィンドウ上に設けることができる。周辺光センサ用ウィンドウにコーティングを設ける構成は、例として本明細書で説明される場合があり得る。しかしながら、これは単なる例示である。コーティングは、デバイス１０内の任意の好適な透明なウィンドウ構造体上に設けることができる。
【００１４】
ウィンドウコーティングが所望の外観（例えば、所望の反射率、所望の色、特定の波長での所望の透過率など）を有することを確実にするために、ウィンドウコーティングは、薄膜積層体を使用して形成することができる。例えば、無機材料の複数の薄い層を、物理蒸着技術又は他の好適な技術を使用してディスプレイカバー層の内面上に堆積させることができる。層の数、層の厚さ、及びコーティングの層内に使用される材料を調整することにより、コーティングは、所望の外側の外観及び透過特性を備えることができる。例えば、周辺光センサ用ウィンドウの内面上のコーティングは、ウィンドウからの反射量及びウィンドウの色を調整する（例えば、ディスプレイの非アクティブエリア内の不透明なマスキング材料が帯青黒色の外観を有する構成で、帯青黒色に）、反射防止及び色調整層として機能することができる。コーティングはまた、光を吸収する無機材料の薄膜層も設けることができる（例えば、周囲の不透明なマスキング構造体と融合するためにコーティングが充分に黒く見えることを確実にするために）。
【００１５】
図１は、周辺光センサなどの光学式構成要素用のウィンドウを有するディスプレイを含み得る種類の、例示的な電子デバイスの斜視図である。電子デバイス１０は、ラップトップコンピュータ、組み込み型コンピュータを含むコンピュータ用モニタ、タブレットコンピュータ、携帯電話、メディアプレーヤ、又はその他のハンドヘルド若しくはポータブル電子デバイスなどのコンピューティングデバイス、腕時計型デバイス、ペンダント型デバイス、ヘッドホン型若しくはイヤホン型デバイス、眼鏡に埋め込まれたデバイス若しくはユーザの頭部に装着する他の機器、又はその他の着用可能な若しくはミニチュアデバイスなどの小さめのデバイス、テレビ、組み込み型コンピュータを含まないコンピュータ用ディスプレイ、ゲーミングデバイス、ナビゲーションデバイス、ディスプレイを有する電子デバイスをキオスク若しくは自動車に搭載するシステムなどの組み込みシステム、これらのデバイスのうちの２つ以上の機能を実装する機器、アクセサリ（例えば、小型イヤホン、リモコン、無線トラックパッドなど）、又は他の電子デバイスであってもよい。図１の例示的な構成において、デバイス１０は、携帯電話、メディアプレーヤ、タブレットコンピュータ、又は他のポータブルコンピューティングデバイスなどのポータブルデバイスである。必要に応じて、デバイス１０に関して、他の構成を使用することができる。図１の例は、単なる例示である。
【００１６】
図１の例では、デバイス１０は、ディスプレイ１４を含む。ディスプレイ１４は、筐体１２内に実装されている。エンクロージャ又はケースとも呼ばれることもあり得る筐体１２は、プラスチック、ガラス、セラミック、繊維複合材、金属（例えば、ステンレス鋼、アルミニウムなど）、他の好適な材料、又はこれらの材料のいずれか２種以上の組み合わせで形成してもよい。筐体１２は、筐体１２が一部若しくはすべて単一の構造として機械加工若しくは成形された一体型構成を使用して形成してもよく、又は複数の構造体（例えば、内部枠組構造、外部筐体表面を形成する１つ以上の構造体など）を使用して形成してもよい。通信ポート、ボタン用の孔、及び他の構造を形成するために、開口部を筐体１２内に形成することができる。
【００１７】
ディスプレイ１４は、導電容量性タッチセンサ電極の層若しくは他のタッチセンサ構成要素（例えば、抵抗性タッチセンサ構成要素、音響タッチセンサ構成要素、感圧式タッチセンサ構成要素、光学式タッチセンサ構成要素など）を組み込むタッチスクリーンディスプレイとしてもよく、又はタッチ感知式でないディスプレイとしてもよい。容量性タッチセンサ電極は、インジウムスズ酸化物パッド又は他の透明な導電性構造体のアレイから形成することができる。
【００１８】
ディスプレイ１４は、画素のアレイを含むアクティブエリアＡＡを有することができる。画素のアレイは、液晶ディスプレイ（ＬＣＤ）構成要素、電気泳動ピクセルのアレイ、プラズマディスプレイピクセルのアレイ、有機発光ダイオードピクセル若しくは他の発光ダイオードピクセルのアレイ、エレクトロウェッティングピクセルのアレイ、又は他のディスプレイ技術に基づくピクセルから形成することができる。
【００１９】
ディスプレイ１４は、透明なガラス、透明プラスチック、透明なセラミック、サファイア、若しくは他の透明な結晶性材料の層、又は他の透明な層（単数又は複数）などの、ディスプレイカバー層を使用して保護することができる。ディスプレイカバー層は、平面形状、凸の曲線状断面、凹の曲線状断面、平面及び曲線状部分を有する形状、平面主領域の平面の外側に曲がった部分を有する１つ以上の縁部で囲まれた平面主領域を含む構成、又は他の好適な形状を有することができる。ボタン１６、スピーカポート１８などのポート、及び他の構造体を収容するために、開口部を、ディスプレイカバー層内に形成することができる。
【００２０】
ディスプレイ１４は、アクティブエリアＡＡの縁部の１つ以上に沿って伸びる非アクティブエリアＩＡなどの、非アクティブ境界領域を有することができる。非アクティブエリアＩＡは、画像を表示するための画素がないものとすることができ、筐体１２内の回路及び他の内部デバイス構造体に重ね合わせることができる。これらの構造体をデバイス１０のユーザによる視界から遮るために、ディスプレイ１４用のディスプレイカバー層の下側は、非アクティブエリアＩＡ内の不透明マスキング層でコーティングすることができる。不透明マスキング層は、任意の好適な色を有することができる。本明細書で例として説明することがあり得る１つの好適な構成では、ディスプレイ１４の領域ＩＡ内の不透明マスキング層は、可視波長で不透明な黒色インクの層から形成することができる。
【００２１】
開口部は、非アクティブエリアＩＡ内のディスプレイカバー層の下側の黒色インクコーティング内に形成することができる。これらの開口部は、デバイス１０内の光学式構成要素用のウィンドウを形成することができる。図１の例では、ウィンドウ２０は、ディスプレイ１４の上側縁部に沿った非アクティブエリアＩＡ内に形成されている。一般的には、ウィンドウ２０などのウィンドウは、ディスプレイ１４の任意の好適な部分（すなわち、非アクティブエリアＩＡの他の部分内）、又はデバイス１０内の他の透明構造体内に形成することができる。図１の構成は、単なる例示である。
【００２２】
ウィンドウ２０は、円形、矩形とすることができ、又は他の好適な形状を有することができる。ウィンドウ２０は、周辺光センサなどの光学式構成要素に位置合わせすることができ、周辺光センサ用コーティングを有することができる。周辺光センサ用コーティングは、周辺光が周辺光センサに到達できるように充分に透明であり、ウィンドウ２０をデバイス１０のユーザによる視界から不明瞭化するのに役立つように、非アクティブエリアＩＡ内の不透明な黒色マスキング層の周囲部分に外観上で充分に近接している。
【００２３】
図２は、図１の線２２に沿って取られ方向２４で見た、ウィンドウ２０の近傍の、図１のデバイス１０の一部分の側面断面図である。図２に示すように、ディスプレイ１４は、ディスプレイカバー層３０などの透明な層を有することができる。ディスプレイカバー層３０は、ガラス、プラスチック、サファイア、又は他の結晶性材料、透明なセラミックなどの、透明な材料から形成することができる。アクティブエリアＡＡ内では、ディスプレイ１４は、画像を表示するための画素３４のアレイを有する構造体３２（例えば、有機発光ダイオードディスプレイ層、液晶ディスプレイモジュールなど）を含むことができる。
【００２４】
ディスプレイカバー層３０の内面は、非アクティブエリアＩＡ内の１つ以上の材料の層でコーティングすることができる。図２の例では、非アクティブエリアＩＡ内のディスプレイカバー層３０の下側は、不透明マスキング層３６でコーティングされている。不透明マスキング層３６は、例えば、黒色インクの層とすることができる。ウィンドウ２０用の開口部４０は、不透明マスキング層３６内に形成することができる。周辺光センサ用コーティング層３８は、開口部４０に重ね合わせることができ、ウィンドウ２０に所望の外観を提供することができる。例えば、コーティング層３８は、ウィンドウ２０からの反射を抑制するための反射防止構造体、ウィンドウ２０の色を調整するための薄膜スペクトル調整構造体、及びウィンドウ２０の外観を暗くするように充分な光を吸収するための構造体を含むことができ、それにより、マスキング層３６の外観を適合させることができる。
【００２５】
図２示すように、構成要素４２などの光学式構成要素は、ウィンドウ２０に位置合わせすることができる。構成要素４２は、周辺光４４を測定する色感知用周辺光センサなどの、周辺光センサとすることができる。色感知用周辺光センサは、それぞれが異なる対応する色チャネル（例えば、青、赤、緑、他の色のチャネル、２つの異なる色の組み合わせに応答するチャネルなど）の光量を測定する検出器のアレイを有することができる。これは、色感知用周辺光センサがデバイス１０の周囲の環境内の周辺光の色（色座標、色温度など）を判定するのを可能にする。色感知用周辺光センサは、例えば、ユーザが屋外の陰になった環境にいる場合に寒色周辺光条件を、ユーザが屋内のタングステン照明環境にいる場合に暖色周辺光条件を、検出することができる（例として）。カラー周辺光センサからの色情報は、ディスプレイ１４内の画素３２により表示される色に色補正をするため、又はデバイス１０の特性の他の調整をするために使用することができる。所望であれば、センサ４２内の色チャネルの１つ以上は、赤外線光に応答するものとすることができる。単色の周辺光センサもまた、デバイス１０内に使用することができる（すなわち、センサ４２は、単色周辺光センサとすることができる）。
【００２６】
図２の例では、ウィンドウコーティング３８は、開口部４０が層３６内に形成された後で、不透明マスキング層３６の内面上に堆積してある。層３６は、スクリーン印刷又は他の好適な技術を使用して堆積してパターン化することができる。所望であれば、コーティング３８は、ウィンドウ２０用の開口部４０を形成するために層３６を堆積して層３６をパターン化する前に、ディスプレイカバー層３０の内面上に堆積させることができる（例えば、図３を参照）。コーティング３８が充分に不透明な外観を有する構成では、不透明マスキング層３６の一部又はすべてを、非アクティブエリアＩＡから省略することができる。
【００２７】
図４に示すように、図２の周辺光４４などの入射する周辺光は、ウィンドウ２０の表面法線ｎ（すなわち、ウィンドウ２０内のディスプレイカバー層３６の部分の表面法線）に対する入射角ＡＯＩの範囲により特徴付けることができる。コーティング３８は、好ましくは入射角ＡＯＩにあまり依存しない透過特性を呈する。コーティング３８の外観もまた、好ましくは、色及び反射率などの属性において不透明マスキング層３６の外観に適合する。
【００２８】
１つの例示的な構成では、コーティング３８は、層５０などの反射防止及び色調整層を含む。不透明マスキング層３６用の黒色インクなどの材料は、カーボンブラックの粒子を含むポリマー又は比較的低い反射率を有する他のインク材料から形成することができる。従って、層５０内の１つ以上の薄膜誘電体層又は他の薄膜層を、反射防止コーティングとして機能するように積層体内に形成することができる。反射防止材料の１つ以上の層の屈折率は、ウィンドウ２０からの光の反射を不透明マスキング層３６からの光の反射に適合するレベルに低減するように選択することができる。
【００２９】
所望であれば、コーティング３８内の材料（例えば、層５０のスペクトル調整構造体）の屈折率、材料、及び層の厚さは、コーティング３８が所望の色（例えば、帯青黒色、又は別の望ましいスペクトル曲線を有する色）を有することを確実にするように選択することができる。薄膜干渉効果を反射率及び色を調整するために使用することができるので、多様な所望の反射率値及び色を実現することができる（例えば、層の厚さ、層の数、及び層の材料を調整することにより）。層５０は、コーティング３８に関連付けられた反射防止及び色特性を調整することができ、そのため層５０は、反射防止及び色調整層（反射防止層、スペクトル調整層、色調整コーティングなど）として呼ばれることもあり得る。
【００３０】
コーティング層３８はまた、層５２などの１つ以上の光吸収層も含むことができる。層５２は、例えば、コーティング３８を黒く見えるようにするために、充分な光を吸収する暗い材料とすることができる。層５２の厚さは、周辺光４４の一部が周辺光センサ４２に届くことができるように、充分小さくすることができる。
【００３１】
図４の反射防止及び色調整コーティング５０用の例示的な構成を、図５に示す。図５の例では、コーティング５０は、３つの酸化アルミニウム層及び３つの酸化チタン層の、６つの無機誘電体層（金属酸化物層）の積層体から形成されている。酸化アルミニウム（屈折率１．７）及び酸化チタン（屈折率２．７）に対する、互いに対して及び層３０のガラス（屈折率１．５５）に対して異なる屈折率値は、層５０がウィンドウ２０に対して、反射防止層として（ウィンドウ２０からの可視光の反射を低減する）及び色調整（スペクトル調整）層として機能することを可能にする。一般的に、層５０は、任意の好適な数の誘電体層（例えば、より高い屈折率及びより低い屈折率の交互の層、又は異なる屈折率を有する誘電体層の他のパターン）を有することができ、金属酸化物、シリコン酸化物、窒化ケイ素、他の酸化物、窒化物、オキシ窒化物、又は他の無機材料から形成された誘電体層を有することができる。この薄膜層の積層体は、物理蒸着技術（例えば、スパッタリング若しくは蒸発）、又は他の好適な析出技術を使用して堆積させることができる。
【００３２】
光吸収層５２もまた、物理蒸着又は他の好適な析出技術を使用して堆積された無機層とすることができる（例えば、層５２は、黒色物理蒸着無機層とすることができる）。入射角感度を低減するのに役立つために、層５２は、比較的高い屈折率を有する材料から形成することができる。
【００３３】
図６の層６２の側面断面図に示すように、入射する周辺光４４は、様々な異なる入射角により特徴付けることができる。図６の例は、光４４が６０度又は３０度の入射角ＡＯＩを有し得る様子を示す（例として）。層５２の屈折率が低い（例えば、ポリマーインクのような１．６又は１．７）場合では、光４４は、３０度の入射角ＡＯＩ及び６０度の入射角にそれぞれ関連付けられた短い経路ＰＳ−１及び長い経路ＰＬ−１などの経路に沿って進むであろう。これは、周辺光４４の入射角が変化するに従い、著しい経路長の差（ＰＬ−１マイナスＰＳ−１）を生じ得る。層５２の屈折率が高い（例えば、ＡｌＴｉＮ又は他の好適な高屈折率薄膜無機層などの材料のような２．３）場合では、光４４は、短い経路ＰＳ−２及び長い経路ＰＬ−２（それぞれ３０度及び６０度の入射角ＡＯＩに対して）などの経路に沿って進むであろう。この場合でのより大きな屈折率のため、光４４は、層５２に入るとより屈折し、経路長の差ＰＬ−２マイナスＰＳ−２は、経路長の差ＰＬ−１マイナスＰＳ−１より小さいであろう。層５２の屈折率が高い場合に異なる入射角の結果として低減した経路長の変化は、コーティング３８及び周辺光センサ４２が、周辺光の入射角の変化に比較的影響を受けないであろうことを確実にするのに役立つ。
【００３４】
図７のシミュレーションは、光４４に対する様々な例示的な入射角ＡＯＩの下での例示的な光吸収層５２に対する、この屈折率の変化の光の透過スペクトルへの影響を示す。図７のグラフで、透過率Ｔ（％）は、入射角ＡＯＩに対する５つの異なる値の関数として、波長（単位ｎｍ）の関数としてプロットされている。図７の右側のシミュレーションでは、層５２の屈折率は１．６であり、結果としての透過率値Ｔの間の広がりは大きい。図７の左側のシミュレーションでは、層５２の屈折率は２．３であり、結果としての異なる入射角での透過率値Ｔの間の広がりは低減されている。層５２に対する２．３以上の屈折率（又は少なくとも１．７より大きい、１．８より大きい、１．９より大きい、２．０より大きい、２．１より大きい、若しくは２．２より大きい屈折率）の使用は、それゆえ、センサ４２に対する入射角感度を低減するのに役立つであろう。入射角で変化しないコーティング３８の透過率のスペクトル変化は、製造中の光センサの校正動作の間に補償することができる（例えば、周辺光センサ４２がカラー周辺光センサであるシナリオで）。
【００３５】
コーティング３８及びウィンドウ２０に対して黒色を生成するために可視光を吸収し、それゆえに、コーティング３８内の光吸収層５２の形成での使用に対して好適であり得る材料の例は、窒化アルミニウムチタンである。この材料は、２．３の屈折率を有し、アルミニウム及びチタンを窒素雰囲気内でスパッタリングすることにより堆積させることができる（例として）。他の材料は、所望であれば使用することができる（例えば、金属、誘電体、窒化物、ＡｌＴｉＮ以外の金属窒化物、他の無機材料など）。ウィンドウ２０用の可視光吸収物理蒸着薄膜コーティングの形成での窒化アルミニウムチタンの使用は、単なる例示である。コーティング層５２の厚さは、４００ｎｍ、２００ｎｍ〜６００ｎｍ、７００ｎｍ未満、５００ｎｍ未満、５０ｎｍより大きい、１００ｎｍより大きい、３００ｎｍより大きい、又は他の好適な厚さとすることができ、物理蒸着又は他の好適な析出技術を使用して堆積させることができる。層５２及びコーティング３８の可視光透過率は、５０％未満、３０％未満、２０％未満、１０％未満、又は他の好適な量とすることができる。層５２は、コーティング３８が黒色の外観を有するように、黒色無機薄膜層とすることができ、又は、層５２及び／若しくはコーティング３８は、他の色を有する他の材料から形成することができる。層５２に対する材料のスパッタリングされた無機層の使用は、これらの層を正確に堆積させるのを可能にし（例えば、膜厚さを２％以内に制御することができる）、滑らかにすることができ、それによって、そうでなければウィンドウ２０をマスキング材料３６に対して見えるようにし得る光散乱を低減する。
【００３６】
一実施形態によれば、光センサ、光センサに位置合わせされたウィンドウを形成する部分を有する透明構造体、及び、光センサと透明構造体との間に挿入されてウィンドウに重ね合わさる、透明構造体上のコーティングを含む、電子デバイスが提供され、コーティングは、物理蒸着薄膜コーティング、及び物理蒸着薄膜コーティングと透明構造体との間に挿入された誘電体層の積層体を有する。
【００３７】
別の実施形態によれば、光センサは、周辺光センサを含む。
【００３８】
別の実施形態によれば、電子デバイスは、ディスプレイを含み、透明構造体は、ディスプレイ用のディスプレイカバー層を含む。
【００３９】
別の実施形態によれば、物理蒸着薄膜コーティングは、少なくとも１．８の屈折率を有する。
【００４０】
別の実施形態によれば、物理蒸着薄膜コーティングは、少なくとも２．１の屈折率を有する。
【００４１】
別の実施形態によれば、物理蒸着薄膜コーティングは、金属窒化物を含む。
【００４２】
別の実施形態によれば、物理蒸着薄膜コーティングは、窒化アルミニウムチタンを含む。
【００４３】
別の実施形態によれば、誘電体層の積層体は、第１の屈折率を有する複数の層、及び第１の屈折率とは異なる第２の屈折率を有する複数の介挿した層を含む。
【００４４】
別の実施形態によれば、誘電体層の積層体は、少なくとも１つの金属酸化物層を含む。
【００４５】
別の実施形態によれば、物理蒸着薄膜コーティングは、２０％未満の可視光透過率を有する黒色層を含む。
【００４６】
別の実施形態によれば、物理蒸着薄膜コーティングは、少なくとも２．２の屈折率を有する。
【００４７】
一実施形態によれば、画像を表示する画素を有するアクティブエリア及び画素を有さない非アクティブエリアに重ね合わさるディスプレイカバー層を有するディスプレイ、非アクティブエリアに重ね合わさるディスプレイカバー層の部分を通して光を受容する周辺光センサ、並びにディスプレイカバー層のその部分上のコーティングを含む、電子デバイスが提供され、コーティングは、黒色無機層及び誘電体層の積層体を含む。
【００４８】
別の実施形態によれば、誘電体層の積層体は、黒色無機層とディスプレイカバー層との間にある。
【００４９】
別の実施形態によれば、黒色無機層は、金属窒化物を含む。
【００５０】
別の実施形態によれば、黒色無機層は、少なくとも２．１の屈折率を有する。
【００５１】
別の実施形態によれば、コーティングは、周辺光センサとディスプレイカバー層との間に挿入され、誘電体層の積層体は、少なくとも１つの金属酸化物層を含む。
【００５２】
別の実施形態によれば、誘電体層の積層体は、少なくとも、第１の屈折率を有するいくつかの誘電体層、及び第１の屈折率とは異なる第２の屈折率を有するいくつかの誘電体層を含む。
【００５３】
別の実施形態によれば、電子デバイスは、ディスプレイカバー層上の黒色インクの層を含み、コーティングが、黒色インク内の開口部内に形成され、誘電体層の積層体が、反射防止及び色調整層を形成するように構成される。
【００５４】
一実施形態によれば、筐体、ディスプレイカバー層を有する筐体内のディスプレイ、周辺光センサ用ウィンドウを形成する開口部を有するディスプレイカバー層上の黒色不透明マスキング層、周辺光センサ用ウィンドウを通して周辺光を受容する筐体内の周辺光センサ、及び開口部内のディスプレイカバー層上のコーティングを含む、電子デバイスが提供され、コーティングは、黒色薄膜無機層及び反射防止層を含む。
【００５５】
別の実施形態によれば、反射防止層は、黒色薄膜無機層とディスプレイカバー層との間にある。
【００５６】
別の実施形態によれば、黒色薄膜無機層は、少なくとも１．９の屈折率を有する物理蒸着層を含む。
【００５７】
別の実施形態によれば、反射防止層は、少なくとも３つの無機誘電体層を含む。
【００５８】
上述の内容は単なる例示にすぎず、説明された実施形態の範囲及び趣旨から逸脱することなく、当業者によって様々な修正を行うことができる。前述の実施形態は、個々に又は任意の組み合わせで実施することができる。
【図１】
0003208984.tif 000003
【図２】
0003208984.tif 000004
【図３】
0003208984.tif 000005
【図４】
0003208984.tif 000006
【図５】
0003208984.tif 000007
【図６】
0003208984.tif 000008
【図７】
0003208984.tif 000009